(57)【要約】【課題】本発明の課題は、表示画面内を複数の領域に分割したエリア制御を良好に行い得る液晶表示装置を提供することにある。【解決手段】本発明に関わる液晶表示装置は、光源Ｋと、該光源Ｋの光を拡散し面光源とする導光板２と、を有する照明装置と、該照明装置に対向して配置され、液晶層を有する液晶パネル１と、を有し、導光板２は、１より大きい異なる屈折率をもつ複数の透明な導光部材２ａ、２ｂを接合して構成されている。【選択図】図３
2009163902.tif 000002
【特許請求の範囲】
【請求項１】
光源と、該光源の光を拡散し面光源とする導光板と、を有する照明装置と、
該照明装置に対向して配置され、液晶層を有する液晶パネルと、を有し、
前記導光板は、１より大きい異なる屈折率をもつ複数の透明な導光部材を接合して構成される
ことを特徴とする液晶表示装置。
【請求項２】
前記導光板は、複数に分割された各領域に対応して配置される透明な第１の導光部材と、該第１の導光部材を互いに連結する透明な第２の導光部材と、前記第１の導光部材を互いに連結するとともに前記第１の導光部材より低い屈折率を有する透明な第３の導光部材とを備える
ことを特徴とする請求項１に記載の液晶表示装置。
【請求項３】
前記導光板は、複数に分割された各領域に対応して配置される透明な第１の導光部材と、該第１の導光部材を互いに連結するとともに前記第１の導光部材より低い屈折率を有する透明な第２の導光部材とを備える
ことを特徴とする請求項１に記載の液晶表示装置。  
【請求項４】
前記液晶パネルに向けて光を出射する前記第１の導光部材の面および前記第２の導光部材の面を略同一面に形成し、該第１の導光部材の面および前記第２の導光部材の面に第３の導光部材を設けた
ことを特徴とする請求項３に記載の液晶表示装置。  
【請求項５】
前記液晶パネルに向けて光を出射する前記第１の導光部材の面および前記第２の導光部材の面を略同一面に形成し、該第１の導光部材の面および前記第２の導光部材の面に、透明な粘着層を介して、透明な第３の導光部材を設けた
ことを特徴とする請求項３に記載の液晶表示装置。  
【請求項６】
前記導光板における複数の前記導光部材を連結する該導光部材とは異なる屈折率をもつ前記導光部材に対向する前記液晶パネル側の位置に、前記導光板内を透過する光を輝度ムラをなくすように反射させる反射部材を設けた
ことを特徴とする請求項１から請求項５のうちの何れか一項に記載の液晶表示装置。
【請求項７】
前記導光板は、第１の導光部材に溝部を設けて複数の領域を形成し、前記溝部に前記第１の導光部材より低い屈折率を有する第２の導光部材を充填し形成した
ことを特徴とする請求項１に記載の液晶表示装置。  
【請求項８】
前記第２の導光部材に対向する前記液晶パネル側の位置に、前記導光板内を透過する光を輝度ムラをなくすように反射させる反射部材を設けた
ことを特徴とする請求項７に記載の液晶表示装置。
【請求項９】
前記反射部材は、前記導光板の前記液晶パネル側の面に設けた
ことを特徴とする請求項６または請求項８に記載の液晶表示装置。
【請求項１０】
前記液晶表示装置の映像を目視する場合における前記導光板の上面と下面に、前記導光板の熱膨張の変形を吸収するとともに前記導光板の強度を向上させる支持部材を設けた
ことを特徴とする請求項１から請求項９のうちの何れか一項に記載の液晶表示装置。  
【請求項１１】
前記光源は、前記領域のそれぞれに設けられる
ことを特徴とする請求項２から請求項１０のうちの何れか一項に記載の液晶表示装置。
【請求項１２】
前記領域の光源の光量を、前記領域が前記映像の明るい箇所より前記映像の暗い箇所を少なくする制御を行なう明暗制御手段を設けた
ことを特徴とする請求項１１に記載の液晶表示装置。    
【請求項１３】
前記映像における動画像が位置する前記領域の光源の光量を、前記映像における動画像が位置しない前記領域の光源の光量より多くする制御を行なう動画光量制御手段を設けた
ことを特徴とする請求項１１または請求項１２に記載の液晶表示装置。
【発明の詳細な説明】
【技術分野】
【０００１】
本発明は、テレビ、携帯電話等に用いられる液晶表示装置に関する。
【背景技術】
【０００２】
近年、テレビ、携帯電話等に広範に用いられる液晶表示装置は、従来の電子線を放出するブラウン管式の表示装置に比較し、フラットパネル・ディスプレイとして、奥行き寸法が短く薄型であることが大きな特徴となっている。
この薄型の特徴をさらに生かすため、液晶表示装置は、従来の電圧制御する液晶パネルの後方から光を透過させる光源を表示画面Ｇ(図１３(ａ)参照)後方に配設する直下型方式に対して、昨今、薄型の特徴をさらに生かすため、図１３(ａ)に示すように、液晶テレビ１００において、光源ｋを表示画面Ｇの両外側方に配置してこの両外側方の光源ｋの光を乱反射させ導光板１０２(図１３(ｂ)、図１３(ｃ)参照)を用いて液晶パネル１０１の後方から面光源として光を導くサイドライト方式が採用されている。
なお、図１３(ａ)は従来の液晶テレビ１００の正面図であり、図１３(ｂ)、図１３(ｃ)は、従来の液晶テレビ１００における導光板１０２と光源ｋの構成を示した概念的正面図である。
【０００３】
ところで、液晶テレビ１００において、図１３(ａ)に示すように、表示画面Ｇを縦方向に分割して複数の領域ｒとし、各領域ｒごとに光源Ｋと導光板１０２を設け管理し、領域ｒ毎に明るさを調整することにより、各領域ｒの画像データに合わせて領域ｒ毎にコントラストを向上させたり、液晶テレビ１００の動画性能を向上させるエリア制御が採用されつつある。
例えば、特許文献１には、光源Ｋとともに、導光板１０２を分割する技術が記載されている。
【特許文献１】特開２００６−１３４７４８号公報(図１等)
【発明の開示】
【発明が解決しようとする課題】
【０００４】
ところで、図１３(ｂ)に示すように、導光板１０２を１枚で形成した場合には、光源ｋから出た光が、矢印α102のように、導光板１０２内を広がり過ぎるので表示画面Ｇ内を広がり過ぎ、エリアｒ毎の変調が効きづらく、液晶パネル１０１(図１３(ａ)参照)の任意の領域ｒの明るさを調整することが困難となる。
【０００５】
一方、特許文献１の技術は、図１３(ｃ)に示すように、導光板１０２が分割されているため、導光板１０２内を進む光が、導光板１０２外の空気層ａ１との屈折率の違いにより、導光板１０２の表面で全反射(図１３(ｃ)中の矢印α101)する光の量が多く、導光板１０２と導光板１０２の境界部分の空気層ａ１を介して、隣接するに導光板１０２に光が殆ど漏出しない。そのため、光源ｋから出た光が表示画面Ｇ(図１３(ａ)参照)内に広がらず、エリアｒ毎の変調は効き易いが、各光源ｋの特性のバラツキがエリアｒ毎の明るさや色のバラツキとなって見えてしまうという問題がある。
本発明は上記実状に鑑み、表示画面内を複数の領域に分割したエリアの制御を良好に行い得る液晶表示装置の提供を目的とする。
【課題を解決するための手段】
【０００６】
上記目的を達成すべく、本発明に関わる液晶表示装置は、光源と、該光源の光を拡散し面光源とする導光板と、を有する照明装置と、該照明装置に対向して配置され、液晶層を有する液晶パネルと、を有し、導光板は、１より大きい異なる屈折率をもつ複数の透明な導光部材を接合して構成されている。
【発明の効果】
【０００７】
本発明によれば、表示画面内を複数の領域に分割したエリア制御を良好に行い得る液晶表示装置を実現できる。
【発明を実施するための最良の形態】
【０００８】
以下、本発明の実施形態について添付図面を参照して説明する。
＜＜第１実施形態＞＞
＜液晶テレビ１０の構成＞
本発明を適用した液晶テレビ１０は、その前面図の図１(ａ)に示すように、映像を表示する表示画面Ｇを有しており、この表示画面Ｇに映像を表示するに際しては、映像に応じた電圧を印加した液晶層に後方(図１(ａ)の紙面裏側)から前方(図１(ａ)の紙面表側)に向け光を透過させ映像に応じた強弱を付けた光を、カラーフィルタの固々の画素に照射し、各画素に映像に応じた色を表示させることで映像を表示している。なお、図１(ｂ)は、図１(ａ)のＡ−Ａ線断面拡大図であり、図２(ａ)は、図１(ｂ)に示す表示画面Ｇに映像を表示する構成の主要部を分解した状態を示す斜め上方から見た斜視図であり、図２(ｂ)は、図２(ａ)に示す光源モジュールＫおよび導光板２を示す斜視図である。
【０００９】
図１(ｂ)、図２(ａ)に示すように、液晶テレビ１０は、表示画面Ｇに映像を表示する構成として、映像に応じた電圧が印加される液晶層および該液晶層を透過した光で発色する画素をもつカラーフィルタを有する液晶パネル１と、両側部に配設され回路基板上に実装される発光ダイオード（ＬＥＤ：Ｌight  Ｅmitting  Ｄiode）ｄを有し液晶パネル１を透過させる光を矢印α0方向に出射する光源の光源モジュールＫと、光源モジュールＫからの光を取り入れ光を導光させる導光板２と、導光板２の裏面に印刷され導光板２の中を導光している光を拡散反射させることにより矢印α１のように前方への光に導くための白色印刷ドットパターン、導光板２の裏面側(図１(ｂ)、図２(ａ)の下側)に配設され導光板２の全反射条件から外れ裏面側に逃げた光を乱反射させて前方向き((図１(ｂ)の矢印α１方向)の光とするための反射シート３と、導光板２を透過した光を前方向き((図１(ｂ)の矢印α１方向)の均一な光とする光学シート４とを備え構成されている。
ここで、光源である光源モジュールＫと、光源モジュールＫからの光を導光させる導光板２とは、液晶パネル１へ光を照射するので、照明装置と称する。
【００１０】
なお、図１(ｂ)においては、液晶パネル１の外側に配設される透明な前面パネルＰ(図２(ａ)参照)は省略して示している。
液晶テレビ１０は、図１(ｂ)に示すように、表示画面Ｇを形成する開口が形成される樹脂製の前筐体ケース９ｍと、該前筐体ケース９ｍに係合されネジ止めされる後筐体ケース９ｕとを有しており、後筐体ケース９ｕ上には、液晶テレビ１０を統括的に制御する制御装置８ａと、適切な使用電源電圧にするためのＤＣ／ＤＣ電源８ｂとが設けられている。
制御装置８ａは、液晶パネル１や光源Ｋ等を制御したり、液晶テレビ１０に表示される映像を処理したりする装置であって、例えば図示しないＣＰＵ（Central Processing Unit）、ＲＡＭ（Random Access Memory）、ＲＯＭ（Read Only Memory）等を有するマイクロコンピュータ、周辺回路等を含んで構成され、ＲＯＭに記憶されるプログラムを実行することによって、液晶テレビ１０が統括的に制御される。
【００１１】
＜導光板２と光源モジュールＫの構成＞
図３(ａ)は、導光板２と光源モジュールＫを示す正面図であり、図３(ｂ)は、図３(ａ)のＢ−Ｂ線断面拡大図である。
図１(ａ)に示すように、表示画面Ｇは、横２分割するとともに縦７分割して合計１４分割した領域ｒ(ｒ11、ｒ12、…、ｒ17、ｒ21、ｒ22、…、ｒ27)に分割されており、導光板２は、図２(ｂ)、図３(ａ)に示すように、表示画面Ｇの１４の領域ｒに対応して配設される１４個の透明な第１の導光部材２ａと、これらの第１の導光部材２ａを互いに連結する透明な粘着層の第２の導光部材２ｂとを有し構成されている。
【００１２】
第１の導光部材２ａの屈折率をｎ１とし、第２の導光部材２ｂの屈折率をｎ２とすると、
１(空気の屈折率)＜第２の導光部材２ｂの屈折率ｎ２＜第１の導光部材２ａの屈折率ｎ１
の関係にある。
この関係から、例えば、第１の導光部材２ａとして、屈折率ｎ１＝１．４９の透明な樹脂であるアクリルを用いて形成すると、第２の導光部材２ｂは、屈折率ｎ２＝１．４の透明なシリコーン樹脂を用いて形成される。
【００１３】
また、図１(ａ)に示す表示画面Ｇを分割した１４の領域ｒ(ｒ11、ｒ12、…、ｒ17、ｒ21、ｒ22、…、ｒ27)に対応する導光板２の第１の導光部材２ａに対向して、図２(ｂ)に示すように、それぞれ１４個の光源モジュールＫ(Ｋ11、…、Ｋ17、Ｋ21、…、Ｋ27)が設けられている。なお、図１(ｂ)に示ように、光源モジュールＫからの光が導光板２に入射する光源モジュールＫと対向する導光板２の面を入射面２Ｎと称し、導光板２から液晶パネル１(図１(ｂ)参照)に向けて光が出射する導光板２の面を出射面２Ｄと称する。
【００１４】
光源モジュールＫ(Ｋ11、…、Ｋ17、Ｋ21、…、Ｋ27)は、それぞれ赤、青、緑の発光ダイオードｄが複数、実装されており、各光源モジュールＫ(Ｋ11、…、Ｋ27)の発光ダイオードｄから発せられた光は、導光板２の入射面２Ｎに入射するように構成されている。
これらの光源モジュールＫ(Ｋ11、…、Ｋ27))は、各光源モジュールＫ11、…、Ｋ27毎、すなわち、各領域ｒ毎に明るさの制御、および赤、青、緑の発光ダイオードｄの何れかを強調する制御、何れか２つの色の発光ダイオードｄを強調する制御等、各領域ｒ毎に制御装置８ａによって独立な制御が行なわれている。なお、光源モジュールＫ(Ｋ11、…)の光の明暗は、印加する電流の高低により制御できる。
【００１５】
＜導光板２内の光の進み方＞
各光源モジュールＫ(Ｋ11、…)から発せられた光は、図３(ａ)に示すように、導光板２の入射面２Ｎから入射され、図１(ｂ)、図２(ａ)に示すように、導光板２の第１の導光部材２ａの出射面２Ｄから出射される。
また、導光板２内に入射された光は、図３(ａ)の破線の矢印に示すように、第１の導光部材２ａ内を第２の導光部材２ｂとの境界面で反射を繰り返しながら中央側に拡散していくとともに、その光の一部は、図３(ａ)の破線の矢印に示すように、導光部材２ｂとの境界面および導光部材２ｂを透過し、隣接する領域ｒの第１の導光部材２ａ内に入射する。
【００１６】
また、図３(ａ)のＢ−Ｂ線断面拡大図の図３(ｂ)の矢印に示すように、導光板２の領域ｒ26の第１の導光部材２ａ内の光ｈ1は、屈折率ｎ１の第１の導光部材２ａ1内を進みその一部ｈ11が第２の導光部材２ｂとの境界面で反射するとともに、その他の光ｈ12は、第２の導光部材２ｂとの境界面を透過して屈折率ｎ２の第２の導光部材２ｂを介して、隣接する領域ｒ25の屈折率ｎ１のアクリルの第１の導光部材２ａに導光される。
【００１７】
ここで、領域ｒ26の第１の導光部材２ａ1内を進む光ｈ1の量を１とすると、第１の導光部材２ａの境界面で反射される光ｈ11の量は、約３／４であり、第２の導光部材２ｂを介して、隣接する領域ｒ25の第１の導光部材２ａに導光される光ｈ12の量は、約１／４である。
この第１の導光部材２ａ内を進む光が隣接する領域ｒの第１の導光部材２ａに導光される現象は、前記した
「１(空気の屈折率)＜第２の導光部材２ｂの屈折率ｎ２＜第１の導光部材２ａの屈折率ｎ１」
の関係から、実現されるものである。
この関係を満たすことを条件に、前記アクリル、シリコーン樹脂以外に、例えば、透明な第１の導光部材２ａとして、屈折率ｎ１＝１．５８のポリカーボネイトを使用すれば、ポリカーボネイトの屈折率ｎ１が１．５８と屈折率ｎ１＝１．４９の透明な樹脂であるアクリルより高いので、第２の導光部材２ｂとして、屈折率ｎ２＝１．４の透明なシリコーン樹脂よりも、屈折率が高い透明な粘着層を使用することができる。
【００１８】
同様に、第１の導光部材２ａとして、屈折率ｎ１＝１．５７のＰＥＴ(ポリエチレンテレフタレート)を使用すれば、ＰＥＴの屈折率ｎ１が１．５７と屈折率ｎ１＝１．４９の透明な樹脂であるアクリルより高いので、第２の導光部材２ｂとして、屈折率ｎ２＝１．４の透明なシリコーン樹脂よりも、屈折率が高い透明な粘着層を使用することが可能である。
第１の導光部材２ａおよび第２の導光部材２ｂとして、幾つか例示したが、第２の導光部材２ｂの屈折率ｎ２＝１．４プラスマイナス０．５であり、これに対応して、第１の導光部材２ａの屈折率ｎ１＝約１．５が最適なものと考えられる。
しかしながら、第１の導光部材２ａの屈折率ｎ１と第２の導光部材２ｂの屈折率ｎ２の関係は、相対的に定まるものである。
【００１９】
上記構成によれば、第１の導光部材２ａに隣接して、「１＜第２の導光部材２ｂの屈折率ｎ２＜第１の導光部材２ａの屈折率ｎ１」の関係にある第２の導光部材２ｂを設けたので、光源の光源モジュールＫから発せられ第１の導光部材２ａ内を進む光の一部が、隣接する透明な粘着層の第２の導光部材２ｂを介して、隣接する領域の第１の導光部材２ａのエリアにも導光されるので、光源の光源モジュールＫのバラツキによる導光板２の領域ｒ毎(図３(ａ)参照)の色ムラ、すなわち、表示画面Ｇの領域ｒ毎(図１ (ａ)参照)の色ムラを改善できる。
【００２０】
＜第１変形形態＞
次に、第１変形形態について、図３(ｃ)を用いて説明する。なお、図３(ｃ)は、図３(ａ)の第１変形形態のＢ−Ｂ線断面拡大図である。
図３(ｃ)に示すように、第１変形形態の導光板２'は、図３(ｂ)に示す第１実施形態の第１の導光部材２ａ'、２ａ'間に、第２の導光部材２ｂ'以外の透明な粘着層の第３の導光部材２ｃ'を設けたものである。
これ以外の構成は、第１実施形態と同様であるから詳細な説明は省略する。
第３の導光部材２ｃ'の屈折率をｎ３とすると、
「１(空気の屈折率)＜第３の導光部材２ｃ'の屈折率ｎ３＜第１の導光部材２ａ'の屈折率ｎ１」
の関係にある。
【００２１】
従って、この条件を満たす屈折率ｎ３の第３の導光部材２ｃ'の透明な材料が適宜、選択して用いられる。
例えば、第１の導光部材２ａ'は、屈折率ｎ１＝１．４９の透明な樹脂であるアクリルを用いて形成され、第３の導光部材２ｃ'は、例えば、屈折率ｎ２＝１．４の透明なシリコーン樹脂を用いて形成されている。ここで、第２の導光部材２ｂ'として、第１の導光部材２ａを適用しても構わない。
図３(ｃ)に示すように、光源モジュールＫから発せられ領域ｒ26'の屈折率ｎ１をもつ第１の導光部材２ａ'内を進む光ｈ1'の一部が第２の導光部材２ｂ'との境界で反射して反射光ｈ11'になるとともに、領域ｒ26'の第１の導光部材２ａ'内を進む光ｈ1'の一部が屈折率ｎ２をもつ第２の導光部材２ｂ'介して、隣接する領域ｒ25'の第１の導光部材２ａ'内を進む光ｈ12'として導光される。
【００２２】
上記構成によれば、第１の導光部材２ａ'に隣接して第２の導光部材２ｂ'および第３の導光部材２ｃ'を設けたので、光源の光源モジュールＫから発せられ第１の導光部材２ａ'内を進む光の一部が、隣接する透明な粘着層の第２の導光部材２ｂ'を介して、隣接する領域ｒ'の第１の導光部材２ａ'のエリアにも導光され、光源の光源モジュールＫのバラツキによる導光板２'の領域ｒ'毎(図３(ａ)参照)の色ムラ、すなわち、表示画面Ｇの領域ｒ'毎(図１ (ａ)参照)の色ムラを改善できる。
【００２３】
＜第２変形形態＞
次に、第２変形形態について、図４を用いて説明する。なお、図４(ａ)は、第２変形形態の導光板２''と光源である光源モジュールＫ (Ｋ11、…、Ｋ27)を示す正面図であり、図４(ｂ)は、図４(ａ)のＣ−Ｃ線断面拡大図である。
図４(ａ)に示すように、第２変形形態の導光板２''は、図１に示す表示画面Ｇにおける１４に分割した領域ｒ11、…、ｒ27を均一な光となる後記の構成(図４(ｂ)参照)とし、表示画面Ｇ(図１参照)を縦方向にのみ７つの領域に７分割、例えば、図１に示す領域ｒ11と領域ｒ21を一つの領域として、これらの７つの領域ｒに対応して、７つの透明な第１の導光部材２ａを設け、これらの７つの第１の導光部材２ａを互いに、透明な粘着層である第２の導光部材２ｂを介して、連結したものである。
【００２４】
導光板２''の第１の導光部材２ａ内の光を均一とする構成として、図４(ｂ)に示すように、導光板２''の裏面、すなわち反射シート３側の面上に、光源モジュールＫ22から発せられた光が強い端部側には、反射量が少ない小さな光拡散性の白いインクのドットｗ１を形成する一方、光源モジュールＫ22から発せられた光が弱くなる中央側にいくに従い、次第に大きくなる光拡散性の白いインクのドットｗ２、…を形成し反射量が次第に大きくなるようにして領域ｒ22(図４(ａ)、図１参照)の光が均一になるように構成している。
また、光拡散性の反射率の高いものならば、白いインク以外のものを適用してもよい。また、導光板２''の端部側から中央側に行くに従い、次第に反射率が高くなれば、必ずしもドットでなくてもよい。
【００２５】
また、第１の導光部材２ａを射出成形する際に、光源モジュールＫ22から発せられた光が強い端部側には、反射量が少ない小さい凹部ｏ1を形成する一方、光源モジュールＫ22から発せられた光が弱くなる中央側にいくに従い、なる次第に大きくなる凹部ｏ2、…を形成し反射量が次第に大きくなるようにし、領域ｒ22(図４(ａ)、図１参照)の光が均一になるように構成している。
なお、領域ｒ22(図４(ａ)、図１参照)を、均一な光とする構成として、白いインクのドットｗ１、ｗ２、…と、第２の導光部材２ａを射出成形する際に形成する凹部ｏ1、ｏ2、…を例示したが、これらの少なくとも一つの構成を適用してもよい。
【００２６】
図１に示す表示画面Ｇの領域ｒ12(図４(ａ)、図１参照)も、上記と同様な中央側にいくに従い反射量が大きくなる構成であり、その他の領域ｒ11、…、ｒ27も同様に中央側にいくに従い反射量が大きくなる構成している。
これらの構成以外は、第１実施形態と同様であるから、同様な構成要素には、同符号を付して示し、詳細な説明は省略する。
【００２７】
上記構成によれば、一つの第１の導光部材２ａの光が、隣接する第２の導光部材２ｂを介して、第１の導光部材２ａに隣接する領域の他の第１の導光部材２ａに導光できるので、光源の光源モジュールＫのバラツキによる導光板２''の領域ｒ毎(図１(ａ)参照)の色ムラを改善できる。
なお、第１の導光部材２ａの凹部ｏ1、ｏ2、…の形状は、液晶パネル１側への反射率が良好な形状ならば、どのような形状を選択してもよい。
【００２８】
＜第３変形形態＞
次に、第３変形形態について、図５を用いて説明する。なお、図５は、第３変形形態の導光板２'''の正面図である。
図５に示すように、第３変形形態の導光板２'''は、領域を縦方向に７分割するとともに横方向に４分割して、合計２８の領域に分割し、この２８の領域に対向して、合計２８の第１の導光部材２ａを設け、これらの２８の第１の導光部材２ａを、第２の導光部材２ｂを介して、連結したものである。
【００２９】
また、この２８の領域に対応して、導光板２'''の裏面側(図５の紙面裏側)に、それぞれ導光板２'''の延在方向と略同方向(図５の矢印α3方向)に光を発する２８個の光源Ｋを設け、各２８領域の導光板２'''の裏面側に配置される反射シート３を、光源Ｋから遠ざかるに従い、次第に前方(図５の紙面の表側向き)、すなわち導光板２'''に近づくように形成し、各２８領域の２８個の光源Ｋが発する光を、均一にして前方(図５の紙面の表側向き、図１の矢印α１方向)に向けている。
【００３０】
これ以外の構成は、第１実施形態と同様であるから、詳細な説明は省略する。
上記構成によれば、透明な第１の導光部材２ａの光が、隣接する透明な第２の導光部材２ｂを介して、隣接する領域の第１の導光部材２ａに導光できるので、光源の光源モジュールＫのバラツキによる導光板２'''の領域ｒ毎(図１(ａ)参照)の色ムラを改善できる。
【００３１】
＜透明な粘着層の材料候補およびその形成工程＞
次に、透明な粘着層の形成工程について説明する。なお、透明な粘着層とは、図３(ａ)に示す第１実施形態の第２の導光部材２ｂ、図３(ｃ)に示す第１変形形態の第２の導光部材２ｂ、第３の導光部材２ｃ、図４(ａ)に示す第２変形形態の第２の導光部材２ｂ、および、図５に示す第３変形形態の第２の導光部材２ｂである。
ここでは、第１実施形態の図３(ａ)に示す導光板２における透明な粘着層の第２の導光部材２ｂを例示して説明する。
【００３２】
図６は、図３(ａ)に示す第１実施形態の導光板２を形成する行程を示した正面図である。
まず、第１の導光部材２ａとしては、屈折率ｎ１＝１．５８のポリカーボネイトを用いる。
第２の導光部材２ｂの材料としては、アクリル樹脂で屈折率を低減したもの、例えば、下記のアクリルモノマーの側鎖のアルキル基の炭素数が大きいものがよい。
【数１】
2009163902.tif 000003
式１において、例えばｎ＝６以上で、屈折率ｎ２を１．４７程度に低減できる。この有機化合物を、溶媒に溶かしてペースト状の溶剤２ｂoとする。なお、溶媒としては、テトラヒドロフランや、ジオキサンなどが使用できる。
【００３３】
そして、図６(ａ)に示すように、この溶剤２ｂoを、第１の導光部材２ａ(図３(ａ)参照)の基材の側面２ａsに塗布し、図６(ｂ)に示すように、第１の導光部材２ａの基材同士を貼り付け、熱硬化で溶媒を蒸発させ、図６(ｃ)に示すように、第１の導光部材２ａを第２の導光部材２ｂを介して連結する。なお、第２変形形態の導光板２''(図４(ａ)参照)、および第３変形形態の導光板２ｂ(図５参照)も同様である。
【００３４】
また、図３(ｃ)に示す第１変形形態における第３の導光部材２ｃ'を、第１の導光部材２ａ'および第２の導光部材２ｂ'に貼り合わせる粘着層にも同様の材料が使用できる。また、この粘着層の厚みは、60μm〜1mmのものが使用できる。第３の導光部材２ｃ'の材料そのものがこの粘着層であってもよい。なお、この場合、第１の導光部材２ａ'は、屈折率ｎ１＝１．５８のポリカーボネイトを用いている。
ここで、シリコーン系の樹脂で屈折率＝１．４２の第２の導光部材２ｂ'も、同様な熱硬化で張り合わせられる。
【００３５】
＜＜第２実施形態＞＞
次に、第２実施形態について、図７を用いて説明する。なお、図７(ａ)は、第２実施形態の導光板２２と光源の光源モジュールＫ(Ｋ11、…、Ｋ17、Ｋ21、…、Ｋ27)との正面図であり、図７(ｂ)は、図７(ａ)のＤ−Ｄ線断面拡大図である。
図７(ｂ)に示すように、第２実施形態の導光板２２は、図３(ａ)、(ｂ)に示す第１実施形態の導光板２の前面、すなわち液晶パネルが配置される側の面に、透明な粘着層の第３の導光部材２２ｃを形成したものである。
【００３６】
図７(ａ)に示すように、第２実施形態の導光板２２は、領域ｒ11、…、ｒ17、ｒ21、…、ｒ27の１４の領域に分割されており、各領域ｒ11、…には、図７(ｂ)に示すように、透明な第１の導光部材２２ａが設けられ、これらの１４の透明な第１の導光部材２２ａは、その前面側、すなわち液晶パネルが配置される側が透明な第２の導光部材２２ｂを介して連結されており、第２の導光部材２２ｂの後面側、すなわち反射シート３が配置される側は、スペースが空いた空気層ａとなっている。
【００３７】
ここで、図７(ｂ)に示すように、各第１の導光部材２２ａの前面２２ａzおよび各第２の導光部材２２ｂの前面２２ｂzとは略同一面に形成されている。
そして、図７(ｂ)に示すように、第１の導光部材２２ａおよび第２の導光部材２２ｂの前面側、すなわち液晶パネルが配置される側は、透明な粘着層の第３の導光部材２２ｃが、図７(ａ)に示すように、導光板２２の前面全域に亘って形成されている。
第１の導光部材２２ａの屈折率をｎ１とし、第２の導光部材２２ｂの屈折率をｎ２とすると、これらの屈折率の関係は、
「１(空気の屈折率)＜第２の導光部材２２ｂの屈折率ｎ２＜第１の導光部材２２ａの屈折率ｎ１」
の関係にある。
【００３８】
この関係を満たすように、例えば、第１の導光部材２２ａは、屈折率ｎ１＝１．４９の透明なアクリル樹脂、第２の導光部材２２ｂは、屈折率ｎ２＝１．４の透明なシリコーン樹脂、透明な粘着層の第３の導光部材２２ｃは、粘着性の透明なエラストマテープが用いられる。
或いは、第１の導光部材２２ａは、屈折率ｎ１＝１．５８の透明なポリカーボネート樹脂、第２の導光部材２２ｂは、屈折率ｎ２＝１．４の透明なシリコーン樹脂より屈折率が高い透明な樹脂、透明な粘着層の第３の導光部材２２ｃは、粘着性の透明なエラストマテープが用いられる。
【００３９】
透明な粘着層の第３の導光部材２２ｃの厚さ寸法は、例えば、携帯電話等の小型製品で１００〜２００μｍ、液晶テレビ等の大型の製品で５００μｍの寸法となるが、透明な粘着層の第３の導光部材２２ｃの厚さ寸法は、適宜、任意に選択できる。
図７(ａ)に示すように、導光板２２の１４の各領域ｒ11、…、ｒ17、ｒ21、…、ｒ27に対応して、１４個の光源モジュールＫ(Ｋ11、Ｋ12、…、Ｋ17、Ｋ21、Ｋ22、…、Ｋ27)が設けられ、第１実施形態と同様に独立して制御される。
これ以外の構成は、第１実施形態と同様であるから、第１実施形態と同様な構成要素には、第１実施形態と同じ符号を付して示し詳細な説明は省略する。
【００４０】
上記構成によれば、第１実施形態の作用効果に加え、導光板２２における第１の導光部材２２ａおよび第２の導光部材２２ｂの前面に、透明な粘着層の第３の導光部材２２ｃを形成するので、第１の導光部材２２ａ、第２の導光部材２２ｂ間の結合が強化され、導光板２２の強度が向上する。
また、導光板２２における各第１の導光部材２２ａの前面２２ａzおよび各第２の導光部材２２ｂの前面２２ｂz、すなわち、第１の導光部材２２ａおよび第２の導光部材２２ｂの液晶パネル１が配置される側の面が、略同一面であり、また透明な粘着層の第３の導光部材２２ｃが形成されるので、第１の導光部材２２ａの前面２２ａz間に段差がある場合に生じる第１の導光部材２２ａ内を進む光が、隣接する第１の導光部材２２ａの前面２２ａzの前方、すなわち、隣接する第１の導光部材２２ａの液晶パネル１が配置される側に漏出する現象が抑制される。そのため、導光板２２(図７(ａ)参照)が、局所的に明るくなることが防止され、導光板２２の光の均一性が向上する。
【００４１】
＜＜第３実施形態＞＞
次に、第３実施形態について、図８を用いて説明する。なお、図８(ａ)は、第３実施形態の導光板３２と光源の光源モジュールＫ(Ｋ11、…、Ｋ17、Ｋ21、…、Ｋ27)との正面図であり、図８(ｂ)は、図８(ａ)のＥ−Ｅ線断面拡大図である。
図８に示すように、第３実施形態の導光板３２は、１枚の透明な第１の導光部材３２ａで全域を形成し、図８(ｂ)に示すように、この透明な第１の導光部材３２ａの後面、すなわち反射シート３が配置される側の面に、矩形状の横断面を有する溝部３２ａoを形成することで導光板３２を領域ｒ11、…、ｒ17、ｒ21、…、ｒ27の１４の領域に分割し、この溝部３２ａo内に、透明な第２の導光部材３２ｂを充填している。
【００４２】
第１の導光部材３２ａの屈折率をｎ１とし、第２の導光部材３２ｂの屈折率をｎ２とすると、これらの屈折率の関係は、
「第２の導光部材３２ｂの屈折率ｎ２＜第１の導光部材２２ａの屈折率ｎ１」
にある。
例えば、第１の導光部材３２ａは、屈折率ｎ１＝１．４９の透明なアクリル樹脂、第２の導光部材３２ｂは、屈折率ｎ２＝１．４の透明なシリコーン樹脂が用いられる。
【００４３】
或いは、第１の導光部材３２ａは、屈折率ｎ１＝１．５８の透明なポリカーボネート樹脂、第２の導光部材３２ｂは、屈折率ｎ２＝１．４の透明なシリコーン樹脂より屈折率が高い透明な樹脂が用いられる。
前記の導光板３２の第１の導光部材３２ａの溝部３２ａoは、透明な第１の導光部材３２ａを射出成形する際に形成される。或いは、図８(ａ)に示す導光板３２の大きさの透明な第１の導光部材３２ａを準備し、溝部３２ａoを追加工により形成する。なお、溝部３２ａoの形成に際しては、射出成形が工数が少なくなることから望ましい。
【００４４】
図８(ａ)に示すように、導光板３２の１４の各領域ｒ11、…、ｒ17、ｒ21、…、ｒ27に対応して、１４個の光源モジュールＫ(Ｋ11、Ｋ12、…、Ｋ17、Ｋ21、Ｋ22、…、Ｋ27)が設けられ、第１実施形態と同様に独立して制御される。
上記構成によれば、第１の導光部材２２ａの一つの領域ｒを進む光の一部を、図８(ａ)の矢印に示すように、隣接する領域ｒに導光できるので、光源の光源モジュールＫのバラツキによる導光板３２の領域ｒ毎(図３(ａ)参照)の色ムラを改善できる。
【００４５】
また、導光板３２が、１枚の第１の導光部材３２ａにより構成されるので、強度が向上する。また、第１の導光部材３２ａの溝部３２ａoを射出成形により形成すれば、工数が削減される。
なお、溝部３２ａoの深さ、すなわち充填される第２の導光部材３２ｂの第１の導光部材３２ａの厚さ方向の寸法は、隣接する領域ｒへの導光状態により、適宜調整される。
また、溝部３２ａoの横断面の形状は、矩形以外の台形状、半円状、曲面状等、任意に選択され得ることは言うまでもない。
【００４６】
＜＜第４実施形態＞＞
次に、第４実施形態について、図９を用いて説明する。なお、図９(ａ)は、第４実施形態の導光板４２と光源の光源モジュールＫ(Ｋ11、…、Ｋ17、Ｋ21、…、Ｋ27)との正面図であり、図９(ｂ)は、図９(ａ)のＦ−Ｆ線断面拡大図である。
図９(ａ)に示すように、第４実施形態の導光板４２は、１４の領域ｒ(ｒ11、…、ｒ17、ｒ21、…、ｒ27)に分割され、１４の各領域ｒ(ｒ11、…、ｒ17、ｒ21、…、ｒ27)に対応して、図９(ａ)に示すように、第１の導光部材４２ａを設け、これらの第１の導光部材４２ａを互いに第２の導光部材４２ｂを介して連結し、図９(ｂ)に示すように、連結した第１の導光部材４２ａの前面４２ａzおよび第２の導光部材４２ｂの前面４２ｂz、すなわち組立体の液晶パネル側の面に、透明な粘着層４２ｎを介して、導光板４２の平面寸法を有するとともにその厚さ寸法より薄い寸法の透明な第３の導光部材４２ｃを貼り付け構成している。
【００４７】
なお、連結した各第１の導光部材４２ａの前面４２ａzおよび各第２の導光部材４２ｂの前面４２ｂzは、略同一面に形成されている。
第１の導光部材４２ａの屈折率をｎ１とし、第２の導光部材４２ｂの屈折率をｎ２とすると、これらの屈折率の関係は、
「１(空気の屈折率)＜第２の導光部材４２ｂの屈折率ｎ２＜第１の導光部材４２ａの屈折率ｎ１」
となる。
この関係を満たすように、例えば、第１の導光部材４２ａは、屈折率ｎ１＝１．４９の透明なアクリル樹脂、第２の導光部材４２ｂは、屈折率ｎ２＝１．４の透明なシリコーン樹脂が用いられる。なお、第３の導光部材４２ｃは、透明な粘着層ならば、適宜、選択できるものであり、第１の導光部材４２ａである屈折率ｎ１＝１．４９の透明なアクリル樹脂を用いてもよい。また、透明な粘着層４２ｎとしては、例えば、透明な粘着性のエラストマテープが用いられる。
【００４８】
或いは、第１の導光部材４２ａは、屈折率ｎ１＝１．５８の透明なポリカーボネート樹脂、第２の導光部材４２ｂは、シリコーン樹脂より屈折率が高い透明な樹脂が用いられる。なお、第３の導光部材４２ｃは、透明な粘着層ならば、適宜、選択できるものであり、第１の導光部材４２ａである屈折率ｎ１＝１．５８の透明なポリカーボネート樹脂を用いてもよい。また、透明な粘着層４２ｎとしては、例えば、透明な粘着性のエラストマテープが用いられる。
【００４９】
そして、図９(ａ)に示すように、導光板４２の１４の各領域ｒ(ｒ11、…、ｒ17、ｒ21、…、ｒ27)に対応して、１４個の光源モジュールＫ(Ｋ11、Ｋ12、…、Ｋ17、Ｋ21、Ｋ22、…、Ｋ27)が設けられ、第１実施形態と同様に、独立に制御されている。
第４実施形態の導光板４２を製造するには、まず、図９(ａ)に示す導光板４２と同じ平面寸法を有するとともにその厚さ寸法より薄い寸法の透明な第３の導光部材４２ｃを準備する。
続いて、この透明な第３の導光部材４２ｃ上に、透明な粘着層４２ｎを塗布する。
【００５０】
続いて、第３の導光部材４２ｃの透明な粘着層４２ｎ上に、１４の各領域ｒに透明な第１の導光部材４２ａを貼る。
続いて、図９(ｂ)に示すように、第３の導光部材４２ｃの透明な粘着層４２ｎ上の第１の導光部材４２ａ間に、透明な第２の導光部材４２ｂを充填し、充填した第２の導光部材４２ｂを硬化して、導光板４２が完成する。
上記構成によれば、第１の導光部材４２ａの一つの領域ｒを進む光の一部を、図９の矢印に示すように、隣接する領域ｒに導光できるので、光源の光源モジュールＫのバラツキによる導光板４２の領域ｒ毎(図９(ａ)参照)の色ムラを改善できる。
また、第１の導光部材４２ａおよび第２の導光部材４２ｂに、透明な粘着層４２ｎを介して、第３の導光部材４２ｃが貼り付けられるので、第１の導光部材４２ａ、第２の導光部材４２ｂ間の結合が強化され、強度が向上する。
【００５１】
＜変形形態＞
次に、第４実施形態の変形形態について、図１０を用いて説明する。なお、図１０(ａ)は、第４実施形態の変形形態の導光板４２'と光源の光源モジュールＫ'(Ｋ11'、…、Ｋ17'、Ｋ21'、…、Ｋ27')との正面図であり、図１０(ｂ)は、図１０(ａ)のＧ−Ｇ線断面拡大図である。
第４実施形態の変形形態は、図１０(ａ)に示す第１の導光部材４２ａ'と隣接する第１の導光部材４２ａ'間の境界部分となる第２の導光部材４２ｂ'の箇所に、局所的に発生する明るい輝度ムラを防止することを目的に、図１０(ｂ)に示すように、この境界部分の第２の導光部材４２ｂ'に対向する出射面４２Ｄ'の箇所およびその近傍域に、白色インクを用いて複数の白色ドット４２ｄ1'を印刷したものである。
【００５２】
なお、図１０(ａ)における白色ドット４２ｄ1'は、図１０(ｂ)に示す複数の白色ドット４２ｄ1'を見易くするため単数に簡略化して示している。
この白色ドット４２ｄ1'に用いるインクは、図１０(ｂ)に示す導光板４２'の裏面４２ｕ'に形成される白色ドット４２ｄ0'に用いたインクと同じインクを用いてもよい。また、白色ドット４２ｄ1'のインク濃度を、適宜調整して輝度ムラが消えるようにすることが望ましい。
【００５３】
上記構成によれば、図１０(ａ)に示す導光板４２'の第１の導光部材４２ａ'間の境界部分の第２の導光部材４２ｂ'に対向する出射面４２Ｄ'の箇所およびその近傍域に、白色ドット４２ｄ1'を形成したので、境界部分の第２の導光部材４２ｂ'で輝度ムラを発生させる余分な光が、導光板４２'側に反射され導光板４２'内で拡散される。そのため、導光板４２'における輝度ムラを防止することが可能である。
なお、本変形形態においては、出射面４２Ｄ'に、白色インクを用いて印刷によって白色ドット４２ｄ1'のパターンを形成する場合を例示したが、印刷以外の方法により形成してもよい。
【００５４】
また、本変形形態においては、白色ドット４２ｄ1'のパターンを例示したが、斑模様等、ドット以外の形状を選択してもよく、ドットパターンに限定されない。
なお、本変形形態で説明した導光板４２'の出射面４２Ｄ'に形成した白色ドット４２ｄ1'等の輝度ムラ防止用の反射部材は、第１実施形態〜第３実施形態における導光板の同様な境界部分にも適用することが可能である。
【００５５】
＜＜第５実施形態＞＞
次に、第５実施形態について、図１１を用いて説明する。なお、図１１は、第５実施形態の導光板５２と光源の光源モジュールＫ(Ｋ11、…、Ｋ17、Ｋ21、…、Ｋ27)との正面図である。
図１１に示すように、第５実施形態の導光板５２は、図３(ａ)に示す第１実施形態の導光板２と同様な構成の導光板５２の上面５２oおよび下面５２uに、それぞれ、導光板５２の強度部材であるとともに導光板５２の熱膨張によるソリを吸収できる導光板支持部材５２Ｓ1、５２Ｓ2を設けている。
【００５６】
導光板５２は、図１１に示すように、１４の領域ｒ(ｒ11、…、ｒ17、ｒ21、…、ｒ27)に分割され、１４の各領域ｒ(ｒ11、…、ｒ17、ｒ21、…、ｒ27)に対応して、第１の導光部材５２ａを設け、これらの第１の導光部材５２ａを互いに第２の導光部材５２ｂを介して連結し組立て、その上面５２oおよび下面５２uに、接着等により導光板支持部材５２Ｓ1、５２Ｓ2を貼り付けている。
導光板支持部材５２Ｓ1、５２Ｓは、第１の導光部材５２ａを第２の導光部材５２ｂを介して連結した導光板５２の強度を向上している。また、液晶テレビ１０を使用した際に導光板５２が熱により膨張した場合にその膨張変形を吸収しソリの発生を防止している。
【００５７】
導光板支持部材５２Ｓ1、５２Ｓの母材としては、ブタジエンゴム、ネオプレンゴム、イソプレンゴム等のゴム、或いはゴム以外に独立気泡体のスポンジ等の弾性材を用いることができる。ゴム、スポンジ等を用いることにより、その強度で導光板５２を強化し、また、その弾性作用により、導光板５２の熱膨張による変形を吸収し、導光板５２のソリを防止できる。これらのゴム、スポンジ等は、コストが安く、好適である。なお、導光板５２の強度向上が図れ、その熱膨張による変形を吸収できるものであれば、ゴム、スポンジ以外のものを適用できるのは勿論である。
【００５８】
また、導光板５２と導光板支持部材５２Ｓ1、５２Ｓ2との接合は、経年変化が少ないエポキシ系等の接着剤を用いても良いし、或いは、アクリル酸含有量を大きくした強力な両面粘着テープを用いてもよいし、その接合法は、任意に選択できる。
上記構成によれば、導光板５２の上面５２oおよび下面５２uに、弾性作用および変形吸収作用を有する導光板支持部材５２Ｓ1、５２Ｓを設けたので、導光板５２の強度向上が図れるとともに、導光板５２の熱膨張が吸収されソリが防止され、導光板５２の信頼性が向上する。
なお、導光板支持部材５２Ｓ1、５２Ｓは、前記の第１実施形態から第４実施形態の導光板にも、それぞれ適用可能である。
【００５９】
＜＜まとめ＞＞
以上、第１実施形態から第５実施形態によれば、導光板における一領域の光を隣接する他の領域に適度に導光できるので、各領域に設けた光源の光源モジュールＫに起因する表示画面Ｇ(図１(ａ)参照)上の領域毎の輝度や色合いのバラツキを低減できる。
従って、表示画面Ｇの映像のエリア制御の性能の向上が図れる。
また、表示画面Ｇ(図１(ａ)参照)の映像の明るい箇所は、その領域の光源の光源モジュールＫの光量を増加し明るくなるよう制御装置８ａで制御し、一方、表示画面Ｇ(図１(ａ)参照)の映像の暗い箇所は、その領域の光源の光源モジュールＫの光量を絞り暗く制御装置８ａで制御することにより、バックライトの消費電力を低減できる。
【００６０】
例えば、大型モニタは、消費電力が高いため、低消費電力化が求められ、また、携帯電話などのモバイル機器は電池駆動のため、低消費電力が求められる。また、携帯電話のワンセグでのテレビ視聴や映画鑑賞では、暗い映像も現れるので消費電力低減効果が期待できる。また、携帯電話などのモバイル機器は電池駆動のため、低消費電力化が求められる。
従って、これらの機器に幅広く有効活用できる。
【００６１】
また、表示画面Ｇ(図１(ａ)参照)の映像の白い箇所は、光源の光源モジュールＫの光量を増加するよう制御装置８ａで制御し、一方、映像の黒い箇所は、光源の光源モジュールＫの光量を絞るよう制御装置８ａで制御することで、表示画面Ｇ(図１(ａ)参照)の映像の白と黒の輝度の比が大きくなり、映像のコントラスト向上を図れる。
上述したように、表示画面Ｇ(図１(ａ)参照)の映像の暗い箇所の領域の光源の光源モジュールＫの光量を絞れるので、消費電力が低くジュール熱の発生量が低く発熱量が抑えられ、液晶テレビ１０の温度上昇を抑制できる。
【００６２】
＜動画質の向上＞
図１２(ａ)は、ブラウン管テレビにおける時間軸ｔに対しての画素の輝度の特性を表した図であり、図１２(ｂ)は、液晶テレビ１０における時間軸ｔに対してある領域のＯＮ／ＯＦＦの輝度の特性を表した図である。
ブラウン管の表示装置であるブラウン管テレビにおいては、表示画面Ｇ(図１(ａ)参照)に映像を表示するに際して、６０HZの１フレーム毎に、走査線に対応して電子線が蛍光管に衝突して画素を表示するため、電子線が通過した後、当該画素の表示は瞬時に終了する。
そのため、図１２(ａ)に示すように、時間軸ｔに対して、ある画素に着目すると、輝度が急峻に上昇するとともに急峻に下降するという特性を有する、所謂、非ホールド型の表示である。
【００６３】
そのため、動画像の映像を表示するに際して、動画像の動きに従い、動画像に対応した表示画素が瞬時に表示され消え、次の動画像に対応した表示画素が瞬時に表示され消えることを繰り返すので、動画像のボヤケは発生しない。
一方、液晶表示装置においては、図１２(ｂ)に示すように、液晶テレビ１０の表示画面Ｇ(図１(ａ)参照)に映像を表示するに際して、常時、映像を表示する液晶パネル１に、バックライトの光源モジュールＫの光を出射し続ける構成である。
【００６４】
従って、表示画面Ｇ(図１(ａ)参照)に動画像を表示する際、動画像が移動した後もバックライトである明るさを保つという特性があり、動画像が去ったエリアもある明るさを保つこととなり、動画像がボヤケるという現象が生じる。
この現象に対して、図１に示す液晶テレビ１０は、表示画面Ｇの領域毎に光源モジュールＫを独立して制御し、独立した領域毎に表示画面Ｇのバックライトの制御を制御装置８ａにより行うので、表示画面Ｇに動画像を表示するに際して、図１２(ｂ)に示すように、テレビ映像の１フレーム毎に、時間軸ｔに対してある領域ｒにおいて動画像が存在する時は光源モジュールＫを点灯制御または光量を増加し(図１２(ｂ)中のＯＮ)、動画像が存在しない時は光源モジュールＫを消灯制御(図１２(ｂ)中のＯＦＦ)または光量を絞る制御を行う。
【００６５】
これにより、図１２(ａ)のブラウン管テレビの表示に近づくことができ、表示画面Ｇ(図１(ａ)参照)における動画像が在る領域のバックライトが点灯または光量が増加する一方、動画像が無い領域のバックライトが消灯または光量が絞られるので、あたかも動画像の動きにバックライトが追随し、動画像のボヤケが抑制でき、動画質が向上する。
従って、動画質が向上した画質の良い映像表示装置を実現できる。
なお、前記の第１実施形態から第５実施形態では、光源として、発光ダイオードを有する光源モジュールＫを例示して説明したが、光源の機能を発揮できれば、発光ダイオード以外のものを光源として用いてもよい。
【００６６】
また、前記の第１実施形態から第５実施形態では、表示画面Ｇ(図１(ａ)参照)を等分割した領域の場合を例示したが、等分割に限定されず、どのような広さの領域に分割しても構わない。例えば、表示画面Ｇ(図１(ａ)参照)の中央部を広い領域として、端部にいくに従い狭い領域としてもよく、また、各領域を異なる広さにしてもよい。
なお、第１実施形態から第５実施形態では、液晶表示装置として、液晶テレビを例示して説明したが、本発明は、大型モニタ、パソコンの表示装置、携帯電話などのモバイル機器等、表示装置を有する電子機器に幅広く適用可能である。
【図面の簡単な説明】
【００６７】
【図１】(ａ)および(ｂ)は、第１実施形態の液晶テレビの前面図、および(ａ)のＡ−Ａ線断面拡大図である。
【図２】(ａ)および(ｂ)は、図１(ｂ)に示す表示画面に映像を表示する構成の主要部の分解状態を示す斜め上方から見た斜視図、および(ａ)に示す光源モジュールおよび導光板を示す斜視図である。
【図３】(ａ)は導光板と光源モジュールを示す正面図であり、 (ｂ)は(ａ)のＢ−Ｂ線断面拡大図であり、(ｃ)は (ａ)の第１変形形態のＢ−Ｂ線断面拡大図である。
【図４】(ａ)は、第２変形形態の導光板と光源である光源モジュールを示す正面図であり、 (ｂ)は、 (ａ)のＣ−Ｃ線断面拡大図である。
【図５】第３変形形態の導光板の正面図である。
【図６】図３(ａ)に示す第１実施形態の導光板を形成する行程を示した正面図である。
【図７】(ａ)は、第２実施形態の導光板と光源モジュールとの正面図であり、 (ｂ)は、(ａ)のＤ−Ｄ線断面拡大図である。
【図８】(ａ)は、第３実施形態の導光板と光源の光源モジュールとの正面図であり、 (ｂ)は、(ａ)のＥ−Ｅ線断面拡大図である。
【図９】(ａ)は、第４実施形態の導光板と光源の光源モジュールとの正面図であり、(ｂ)は、(ａ)のＦ−Ｆ線断面拡大図である。
【図１０】(ａ)は、第４実施形態の変形形態の導光板と光源の光源モジュールとの正面図であり、 (ｂ)は、 (ａ)のＧ−Ｇ線断面拡大図である。
【図１１】第５実施形態の導光板と光源の光源モジュールとの正面図である。
【図１２】(ａ)は、ブラウン管テレビにおける時間軸に対しての画素の輝度の特性を表した図であり、(ｂ)は、液晶テレビにおける時間軸に対してある領域のＯＮ／ＯＦＦの輝度の特性を表した図である。
【図１３】(ａ)は、従来の液晶テレビの正面図であり、 (ｂ)および(ｃ)は、従来の液晶テレビにおける導光板と光源の構成を示した概念的正面図である。
【符号の説明】
【００６８】
１…液晶パネル、
２、２'、２''、２'''、２２、３２、４２、…導光板(照明装置)、
１０…液晶テレビ(液晶表示装置)、
２ａ、２ｂ、２ａ'、２ｂ'、２ｃ'、２ａ1、２ａ2、２２ａ、２２ｂ、２２ｃ、３２ａ、３２ｂ、４２ａ、４２ｂ、４２ｃ、５２ａ、５２ｂ…導光部材、
２ａ…第１の導光部材(請求項１、３の第１の導光部材)、
２ａ'…第１の導光部材(請求項１、２の第１の導光部材)、
２ｂ…第２の導光部材(請求項１、３の第１の導光部材)、
２ｂ'…第２の導光部材(請求項１、２の第２の導光部材)、
２ｃ'…第３の導光部材(請求項１、２の第３の導光部材)、
４２ｄ1'…白色ドット(反射部材)、
４２Ｄ'…出射面(請求項９の導光板の液晶パネル側の面)、
８ａ…制御装置(明暗制御手段、動画光量制御手段)、
２２ａ…第１の導光部材(請求項１、４の第１の導光部材)、
２２ｂ…第２の導光部材(請求項１、４の第２の導光部材)、
２２ｃ…第３の導光部材(請求項４の第３の導光部材)、
２２ａz…第１の導光部材２２ａの前面(請求項４の第１の導光部材の面)、
２２ｂz…第２の導光部材２２ｂの前面(請求項４の第２の導光部材の面)、
３２ａ…第１の導光部材(請求項１、６の第１の導光部材)、
３２ａo…溝部(請求項７の溝部)、
３２ｂ…第２の導光部材(請求項１、６の第２の導光部材)、
４２ａ…第１の導光部材(請求項１、５の第１の導光部材)、
４２ｂ…第２の導光部材(請求項１、５の第２の導光部材)、
４２ｃ…第３の導光部材(請求項１、５の第３の導光部材)、
４２ａz…第１の導光部材の前面(請求項５の第１の導光部材の面)、
４２ｂz…第２の導光部材の前面(請求項５の第２の導光部材の面)、
５２…導光板(請求項７の導光板)、
５２o…導光板の上面、
５２u…導光板の下面、
５２Ｓ1、５２Ｓ2…導光板支持部材(支持部材)、
Ｋ(Ｋ11、…、Ｋ17、Ｋ21…、Ｋ27)  …光源モジュール(光源、照明装置)、
ｒ(ｒ11、ｒ12、…、ｒ17、ｒ21、ｒ22、…、ｒ27)  …領域
【図１】
2009163902.tif 000004
【図２】
2009163902.tif 000005
【図３】
2009163902.tif 000006
【図４】
2009163902.tif 000007
【図５】
2009163902.tif 000008
【図６】
2009163902.tif 000009
【図７】
2009163902.tif 000010
【図８】
2009163902.tif 000011
【図９】
2009163902.tif 000012
【図１０】
2009163902.tif 000013
【図１１】
2009163902.tif 000014
【図１２】
2009163902.tif 000015
【図１３】
2009163902.tif 000016